(57)【要約】　　　（修正有）【課題】新鮮な空気を患者の肺に送り込むと共に、患者の肺における不要な空気を吸出して排出することができる呼吸補助装置を提供する。【解決手段】本体１０の内部に空気供給部１１と空気吸入部１２が設けられ、空気供給部は底端１０１の付近に空気吸入パイプ１１０が設けられると共に、組合端１００の付近に通気パイプ１１４が設けられ、その空気吸入パイプと本体との連結箇所に片方向バルブ３１０が設けられ、空気吸入部における底端に排気パイプ３４が設けられると共に、ピストンロッド２００は本体の組合端から夫々空気供給部と空気吸入部の内部に挿入されると共に、空気供給部と空気吸入部の内部におけるピストンロッドに夫々ピストンブロック２１が設けられ、マスク３０は空気供給部と連結する空気供給パイプ３１と空気排出パイプ３２と連結し、空気供給パイプは空気供給部の底端と連結し、空気排出パイプは一つの痰気分離ボトル３３の上部と連結する。【選択図】　　図２
0003098932.tif 000002
【実用新案登録請求の範囲】
【請求項１】
中空の本体と、双ピストンロッドと、マスクとを備える呼吸補助装置であって、
本体の内部に空気供給部と空気吸入部が設けられ、その一端に双ピストンロッドを組合せるための組合端が設けられ、他端に封閉状の底端が設けられ、空気供給部はその底端付近に空気吸入パイプが設けられると共に、組合端の付近に気圧のバランスをとるための通気パイプが設けられ、その空気吸入パイプと本体との連結箇所に空気を空気供給部に進入できるだけ片方向バルブが設けられ、空気吸入部における底端に排気パイプが設けられると共に、該排気パイプと本体との連結箇所に空気を空気吸入部から外部へ排出できる片方向バルブが設けられ、組合端の付近に気圧のバランスをとるための通気パイプが設けられ、
双ピストンロッドはピストンロッドを有し、このピストンロッドは本体の組合端から夫々空気供給部と空気吸入部の内部に挿入されると共に、空気供給部と空気吸入部の内部におけるピストンロッドに夫々ピストンブロックが設けられ、更に、本体の外部におけるピストンロッドの一端に連結部が設けられ、
マスクは空気供給部と連結する空気供給パイプと空気排出パイプとに連結され、空気供給パイプは空気供給部の底端と連結されると共に、空気排出パイプは一つの痰気分離ボトルの上部と連結され、その痰気分離ボトルの上部と空気吸入部の底端付近との間に排気パイプが設けられ、空気供給パイプと本体との連結箇所に空気を空気供給部から外部へ排出できる片方向バルブが設けられ、排気パイプと本体と連結箇所に空気を空気吸入部に進入できるだけ片方向バルブが設けられることを特徴とする呼吸補助装置。
【請求項２】
前記ピストンロッドの連結部は機械式伝動装置と連結し、その機械式伝動装置はモータと、伝動歯車組みと、伝動ロッドと、連結ロッドとを有し、モータと伝動ロッドは夫々伝動歯車組みと連結し、連結ロッドの両端は夫々伝動ロッド及び双ピストンロッドの連結部と連結することにより、伝動歯車組みはモータによって伝動して回転する際、伝動ロッドは回転すると共に、双ピストンロッドのピストンブロックは往復のように移動することを特徴とする請求項１に記載の呼吸補助装置。
【請求項３】
本体の底端に固定座が設けられることにより、本体と、双ピストンロッドと、機械式伝動装置とを一つの外部ボックスの内部に収納することを特徴とする請求項２に記載の呼吸補助装置。
【考案の詳細な説明】
【０００１】
【考案の属する技術分野】
本考案は、特に新鮮な空気を患者の肺に送り込むと共に、患者の肺における不要な空気を吸出して排出することができる呼吸補助装置に関するものである。
【従来の技術】
患者が呼吸困難の場合、看護人員は酸素マスクなどの呼吸補助装置を用いて空気又は酸素を患者の肺に強制的に送り込むことにより、命を維持するための酸素を患者に供給する。
図７及び図８に示すように、従来の呼吸補助装置（６０）はマスク（６１）と、袋状の空気供給ポンプ（６２）と、空気流量制御パイプ（６３）と、バッグ（６４）とを備え、マスク（６１）は空気供給ポンプ（６２）との連結箇所に片方向バルブ（６１０）が設けられ、空気供給ポンプ（６２）の一端に片方向バルブ（６３０）と空気吸入パイプ（６３２）とを有する空気流量制御パイプ（６３）が設けられ、その空気流量制御パイプ（６３）はバッグ（６４）と連結すると共に、空気吸入パイプ（６３２）は酸素ボトル（符号なし）と連結することにより、バッグ（６４）を膨張させる。
【考案が解決しようとする課題】
しかしながら、前記従来の呼吸補助装置（６０）は単に空気や酸素を患者の肺に送り込むだけ、患者の肺における空気や痰などの異物を排出することができないので、看護人員は必ずマスクを患者の顔から外した後、患者は吐息を行うことができる。
【０００２】
そこで、案出されたのが本考案であって、新鮮な空気を患者の肺に送り込むと共に、患者の肺における空気を吸出して排出することができる呼吸補助装置を提供することを目的としている。
【課題を解決するための手段】
本願の請求項１の考案は、中空の本体と、双ピストンロッドと、マスクとを備える呼吸補助装置であって、
本体の内部に空気供給部と空気吸入部が設けられ、その一端に双ピストンロッドを組合せるための組合端が設けられ、他端に封閉状の底端が設けられ、空気供給部はその底端付近に空気吸入パイプが設けられると共に、組合端の付近に気圧のバランスをとるための通気パイプが設けられ、その空気吸入パイプと本体との連結箇所に空気を空気供給部に進入できるだけ片方向バルブが設けられ、空気吸入部における底端に排気パイプが設けられると共に、該排気パイプと本体との連結箇所に空気を空気吸入部から外部へ排出できる片方向バルブが設けられ、組合端の付近に気圧のバランスをとるための通気パイプが設けられ、
双ピストンロッドはピストンロッドを有し、このピストンロッドは本体の組合端から夫々空気供給部と空気吸入部の内部に挿入されると共に、空気供給部と空気吸入部の内部におけるピストンロッドに夫々ピストンブロックが設けられ、更に、本体の外部におけるピストンロッドの一端に連結部が設けられ、
マスクは空気供給部と連結する空気供給パイプと空気排出パイプとに連結され、空気供給パイプは空気供給部の底端と連結されると共に、空気排出パイプは一つの痰気分離ボトルの上部と連結され、その痰気分離ボトルの上部と空気吸入部の底端付近との間に排気パイプが設けられ、空気供給パイプと本体との連結箇所に空気を空気供給部から外部へ排出できる片方向バルブが設けられ、排気パイプと本体と連結箇所に空気を空気吸入部に進入できるだけ片方向バルブが設けられることを特徴とする呼吸補助装置及び、
本願の請求項２の考案は、前記ピストンロッドの連結部は機械式伝動装置と連結し、その機械式伝動装置はモータと、伝動歯車組みと、伝動ロッドと、連結ロッドとを有し、モータと伝動ロッドは夫々伝動歯車組みと連結し、連結ロッドの両端は夫々伝動ロッド及び双ピストンロッドの連結部と連結することにより、伝動歯車組みはモータによって伝動して回転する際、伝動ロッドは回転すると共に、双ピストンロッドのピストンブロックは往復のように移動することを特徴とする請求項１に記載の呼吸補助装置及び、
本願の請求項３の考案は、本体の底端に固定座が設けられることにより、本体と、双ピストンロッドと、機械式伝動装置とを一つの外部ボックスの内部に収納することを特徴とする請求項２に記載の呼吸補助装置、
を提供する。
【作用】
本考案は上記の課題を解決するものであり、本体の内部に空気供給部と空気吸入部が設けられ、空気供給部に空気吸入パイプと、通気パイプと、マスクと連結する空気供給パイプとを設けると共に、空気吸入部に排気パイプと、通気パイプと、マスクと連結する空気排出パイプと排気パイプとを設け、空気供給部と空気吸入部に夫々ピストンブロックを有するピストンロッドを設けることにより、新鮮な空気を患者の肺に送り込むと共に、不要な空気を患者の肺から吸出す。
【考案の実施の形態】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
図１は本考案に係わる呼吸補助装置の第一実施例を示す斜視図であり、図２は本考案に係わる呼吸補助装置の第一実施例の使用状態を示す参考図であり、図３は本考案に係わる呼吸補助装置の第一実施例の他の使用状態を示す参考図であり、図４は本考案に係わる呼吸補助装置の第二実施例を示す斜視図であり、図５は本考案に係わる呼吸補助装置の第二実施例の使用状態を示す参考図であり、図６は本考案に係わる呼吸補助装置の第三実施例の使用状態を示す参考図である。
【０００３】
図１及び図２に示すように、本考案に係わる補給補助装置の第一実施例は主として中空の本体（１０）と、双ピストンロッド（２０）と、マスク（３０）と、機械式伝動装置（４０）とを備え、又、その本体（１０）と、双ピストンロッド（２０）と、機械式伝動装置（４０）とを一つの外部ボックス（５０）の内部に収納することができる。
又、本体（１０）の内部に並列の空気供給部（１１）と空気吸入部（１２）が設けられ、その一端に双ピストンロッド（２０）を組合せるため組合端（１００）が設けられ、他端に封閉状の底端（１０１）が設けられ、空気供給部（１１）は底端（１０１）の付近に空気吸入パイプ（１１０）が設けられると共に、組合端（１００）の付近に気圧のバランスをとるため通気パイプ（１１４）が設けられ、その空気吸入パイプ（１１０）と本体（１０）との連結箇所に空気を空気供給部（１１）に進入できるだけ片方向バルブ（１１２）が設けられ、又、空気吸入部（１２）における底端（１０２）に排気パイプ（１２０）が設けられると共に、該排気パイプ（１２０）と本体（１０）との連結箇所に空気を空気吸入部（１２）から外部へ排出できる片方向バルブ（１２２）が設けられ、組合端（１００）の付近に気圧のバランスをとるため通気パイプ（１２４）が設けられ、更に、本体（１０）の底端（１０１）に固定座（１３）が設けられることにより、本体（１０）を外部ボックス（５０）の内部に収納することができる。
【０００４】
双ピストンロッド（２０）は二本の平行なピストンロッド（２００）（２０２）を有し、このピストンロッド（２００）（２０２）は本体（１０）の組合端（１００）から夫々空気供給部（１１）と空気吸入部（１２）の内部に挿入されると共に、空気供給部（１１）と空気吸入部（１２）の内部におけるピストンロッド（２００）（２０２）の一端に夫々ピストンブロック（２１）（２２）が設けられ、又、本体（１０）の外部におけるピストンロッド（２００）（２０２）の他端に相互に連結することによって連結部（２３）が設けられる。
図２に示すように、マスク（３０）は空気供給部（１１）と連結する空気供給パイプ（３１）と空気排出パイプ（３２）と連結し、空気供給パイプ（３１）は空気供給部（１１）の底端（１０１）と連結し、空気排出パイプ（３２）は一つの痰気分離ボトル（３３）の上部と連結すると共に、痰気分離ボトル（３３）の上部と空気吸入部（１２）の底端（１０１）付近との間に排気パイプ（３４）が設けられ、又、空気供給パイプ（３１）と本体（１０）との連結箇所に空気を空気供給部（１１）から外部へ排出できる片方向バルブ（３１０）が設けられ、排気パイプ（３４）と本体（１０）と連結箇所に空気を空気吸入部（１２）に進入できるだけ片方向バルブ（３４０）が設けられる。
【０００５】
又、図２に示すように、機械式伝動装置（４０）はモータ（４１）と、伝動歯車組み（４２）と、伝動ロッド（４３）と、連結ロッド（４４）とを有し、モータ（４１）と伝動ロッド（４３）は夫々伝動歯車組み（４２）と連結し、連結ロッド（４４）の両端は夫々伝動ロッド（４３）及び双ピストンロッド（２０）の連結部（２３）と連結することにより、伝動歯車組み（４２）はモータ（４１）によって伝動して回転する際、伝動ロッド（４３）は回転すると共に、双ピストンロッド（２０）のピストンブロック（２１）（２２）は往復のように移動する。
【０００６】
更に、図２及び図３に示すように、本考案に係わる呼吸補助装置の第一実施例を使用する場合、マスク（３０）を患者の口鼻にカバーして、機械式伝動装置（４０）の伝動によって作動し、その双ピストンロッド（２０）のピストンロッド（２００）（２０２）は本体（１０）の底端（１０１）へ移動する際、空気供給部（１１）の内部におけるピストンブロック（２１）は空気を本体（１０）の外部へ押し出すと共に、空気は片方向バルブ（３１０）と空気供給パイプ（３１）を介してマスク（３０）の内部に進入され、一方、空気吸入部（１２）の内部におけるピストンブロック（２２）はピストンブロック（２２）と底端（１０１）との間における空気を本体（１０）の外部へ押し出すと共に、空気は片方向バルブ（１２２）によって排気パイプ（１２０）から排出する。逆に、ピストンロッド（２００）（２０２）は本体（１０）の底端（１０１）から組合端（１００）へ引き出す際、空気供給部（１１）の内部におけるピストンブロック（２１）は組合端（１００）へ移動すると共に、吸引力を発生することにより、外部の空気は空気吸入パイプ（１１０）と片方向バルブ（１１２）を介して本体（１０）の底端（１０１）とピストンブロック（２１）との間に進入する。図３に示すように、一方、空気吸入部（１２）の内部におけるピストンブロック（２２）は組合端（１００）へ移動すると共に、吸引力を発生することにより、患者の肺における痰と空気を痰気分離ボトル（３３）に吸入し、又、重力作用によって痰は痰気分離ボトル（３３）の内部に残して、空気は排気パイプ（３４）と片方向バルブ（３４０）を介してピストンブロック（２２）と空気吸入部（１２）の底端（１０１）との間に進入し、又、通気パイプ（１１４）（１２４）は本体（１０）の内部の気圧のバランスをとるために設けられる。
【０００７】
本考案に係わる呼吸補助装置の第一実施例によれば、機械式伝動装置（４０）によってピストンロッド（２００）（２０２）を駆動することにより、新鮮な空気を患者の肺に送り込むと共に、患者の肺における痰と空気を吸出すことができる。又、必要であれば、空気吸入パイプ（１１０）は酸素ボトルと連結することにより、患者に酸素を提供することができる。
【０００８】
更に、本考案に係わる呼吸補助装置の機械式伝動装置（４０）を使わなくて、その代わりに、手によって双ピストンロッド（２０）を駆動しても、患者に新鮮な空気を提供することを達成できる。
【０００９】
更に、図４及び図５に示すように、本考案に係わる呼吸補助装置の第二実施例の使用方式と構造は前記第一実施例と殆ど等しく、異なるのは、本体（１０ａ）はシリンダー状であり、その一端に双ピストンロッド（２０ａ）を設置するため組合端（１００ａ）が設けられ、他端に封閉状の底端（１０１ａ）が設けられ、本体（１０ａ）の内部には離間プレート（１０２ａ）によって空気供給部（１１ａ）と空気吸入部（１２ａ）に分かれ、空気供給部（１１ａ）は底端（１０１ａ）と離間プレート（１０２ａ）との間に形成されると共に、空気吸入部（１２ａ）は離間プレート（１０２ａ）と組合端（１００ａ）との間に形成され、双ピストンロッド（２０ａ）は一本のピストンロッド（２００ａ）を有し、該ピストンロッド（２００ａ）は本体（１０）の組合端（１００ａ）から離間プレートを貫通し、空気供給部（１１ａ）におけるピストンロッド（２００ａ）にピストンブロック（２１ａ）が設けられると共に、空気吸入部（１２ａ）におけるピストンロッド（２００ａ）にピストンブロック（２２ａ）が設けられ、この二つのピストンブロック（２１ａ）（２２ａ）はピストンロッド（２００ａ）によって夫々空気供給部（１１ａ）と空気吸入部（１２ａ）の内部に移動することができる。又、本体（１０ａ）から外部へ延出するピストンロッド（２００ａ）の一端に連結部（２３ａ）が設けられると共に、機械式伝動装置（４０ａ）の連結ロッド（４４ａ）と連結することにより、ピストンロッド（２００ａ）を駆動することができる。
【００１０】
又、図６に示すように、ピストンロッド（２００ａ）の連結部（２３ａ）に駆動ハンドル（符号なし）を設置すると共に、手によってピストンロッド（２００ａ）を駆動しても、新鮮な空気を患者に提供することができる。
【００１１】
【考案の効果】
本考案は上記の構成を有するので、本体の内部に空気供給部と空気吸入部が設けられ、空気供給部に空気吸入パイプと、通気パイプと、マスクと連結する空気供給パイプとを設けると共に、空気吸入部に排気パイプと、通気パイプと、マスクと連結する空気排出パイプと排気パイプとを設け、空気供給部と空気吸入部に夫々ピストンブロックを有するピストンロッドを設けることにより、新鮮な空気を患者の肺に送り込むと共に、不要な空気を患者の肺から吸出すことができる。
【図面の簡単な説明】
【図１】本考案に係わる呼吸補助装置の第一実施例を示す斜視図である。
【図２】本考案に係わる呼吸補助装置の第一実施例の使用状態を示す参考図である。
【図３】本考案に係わる呼吸補助装置の第一実施例の他の使用状態を示す参考図である。
【図４】本考案に係わる呼吸補助装置の第二実施例を示す斜視図である。
【図５】本考案に係わる呼吸補助装置の第二実施例の使用状態を示す参考図である。
【図６】本考案に係わる呼吸補助装置の第三実施例の使用状態を示す参考図である。
【図７】従来の呼吸補助装置の一部断面図である。
【図８】従来の呼吸補助装置の使用状態を示す一部断面図である。
【符号の説明】
１０、１０ａ　　　　　本体
１００、１００ａ　　　組合端
１０１、１０１ａ　　　底端
１０２ａ　　　　　　　離間プレート
１１、１１ａ　　　　　空気供給部
１１０、１１０ａ　　　空気吸入パイプ
１１２、１１２ａ　　　片方向バルブ
１１４、１１４ａ　　　通気パイプ
１２、１２ａ　　　　　空気吸入部
１２０、１２０ａ　　　排気パイプ
１２４、１２４ａ　　　通気パイプ
１３、１３ａ　　　　　固定座
２０、２０ａ　　　　　双ピストンロッド
２００、２０２、２００ａ　ピストンロッド
２１、２１ａ、２２、２２ａ　ピストンブロック
２３、２３ａ　　　　　連結部
３０、３０ａ　　　　　マスク
３１、３１ａ　　　　　空気供給パイプ
３１０、３１０ａ　　　片方向バルブ
３２、３２ａ　　　　　空気排出パイプ
３３、３３ａ　　　　　痰気分離ボトル
３４、３４ａ　　　　　排気パイプ
３４０、３４０ａ　　　片方向バルブ
４０、４０ａ　　　　　機械式伝動装置
４１、４１ａ　　　　　モータ
４２、４２ａ　　　　　伝動歯車組み
４３、４３ａ　　　　　伝動ロッド
４４、４４ａ　　　　　連結ロッド
５０、５０ａ　　　　　外部ボックス
６０　　　　　　　　　呼吸補助装置
６１　　　　　　　　　マスク
６１０　　　　　　　　片方向バルブ
６２　　　　　　　　　空気供給ポンプ
６２０　　　　　　　　片方向バルブ
６３　　　　　　　　　空気流量制御パイプ
６３０　　　　　　　　片方向バルブ
６３２　　　　　　　　空気吸入パイプ
６４　　　　　　　　　バッグ
【図１】
0003098932.tif 000003
【図２】
0003098932.tif 000004
【図３】
0003098932.tif 000005
【図４】
0003098932.tif 000006
【図５】
0003098932.tif 000007
【図６】
0003098932.tif 000008
【図７】
0003098932.tif 000009
【図８】
0003098932.tif 000010